(57)【要約】データ信号の送信に使用される複数のアンテナそれぞれに対応する重みであって、データ信号のうちの対応するものを、アンテナのうちの対応するものを使用して送信する前に変更するのに各重みが適している、重みを決定すること；および重みのうちの少なくとも１つに対応する情報であって、少なくとも１つの重みの決定を少なくとも可能にする、情報を送信することを含む方法。第１データ信号の送信に使用される複数の第１アンテナに対応する複数の重みであって、各重みは、第１データ信号のうちの対応するものを、第１アンテナのうちの対応するものを使用して送信する前に変更するために使用されたものである、複数の重みのうちの、少なくとも１つに対応する情報を受信すること；受信された情報を使用し、複数の第１アンテナに対応する複数の重みを決定すること；および少なくとも１つの出力信号を生成するべく、複数の重みを少なくとも使用して複数の第２アンテナを使用し受信された第２データ信号を復号することを含む別の方法。【選択図】図１
2009500890.tif 000002
【特許請求の範囲】
【請求項１】
データ信号の送信に使用される複数のアンテナそれぞれに対応する重みを決定すること、ただし、各重みは、前記データ信号のうちの対応するものを、前記アンテナのうちの対応するものを使用して送信する前に変更するのに適している、前記決定することと；
前記重みのうちの少なくとも１つに対応する情報を送信すること、ただし、前記情報は少なくとも、前記少なくとも１つの重みの決定を可能にする、前記送信することと
を含む方法。
【請求項２】
前記送信は、高速共有制御チャネルを使用して前記情報を送信することをさらに含む、請求項1に記載の方法。
【請求項３】
前記重みのうちの対応するものを使用して前記データ信号を変更することと；
前記変更されたデータ信号を、前記複数のアンテナを使用して送信することと
をさらに含む、請求項1に記載の方法。
【請求項４】
前記変更および前記送信は、前記重みのうちの対応するものを使用して単一のデータ信号を変更すること、および前記単一のデータ信号の前記変更されたデータ信号を、前記複数のアンテナを使用して送信することにより、送信ダイバーシティを維持する、請求項3に記載の方法。
【請求項５】
前記変更および前記送信は、前記重みのうちの対応するものを使用して少なくとも２つのデータ信号を変更すること、および前記少なくとも２つのデータ信号の前記変更されたデータ信号を、前記複数のアンテナを使用して送信することにより、多入力多出力（MIMO：Multiple In，Multiple Out）送信を使用する、請求項3に記載の方法。
【請求項６】
前記送信は、前記変更されたデータ信号を、高速ダウンリンク共有チャネルを使用して送信することをさらに含む、請求項3に記載の方法。
【請求項７】
前記送信された情報を使用すると、少なくとも、前記少なくとも１つの重み以外に追加の重みの決定が可能である、請求項1に記載の方法。
【請求項８】
前記情報は第１情報であり、前記方法は、受信機により計算された第２情報を受信することをさらに含み、前記第２情報は前記複数のアンテナそれぞれに使用される重みに対応し、前記重みの決定は、前記受信機により計算された前記第２情報を使用して、前記複数のアンテナそれぞれに対応する前記アンテナ重みを決定することをさらに含む、請求項1に記載の方法。
【請求項９】
前記受信機により計算された前記情報は、高速個別物理制御チャネルを通して受信される、請求項8に記載の方法。
【請求項１０】
前記受信機により計算された前記情報は、ある期間にわたり変化する量で受信される、請求項8に記載の方法。
【請求項１１】
データ信号の送信に使用される複数のアンテナに組み合わされるように構成された送受信機と；
プログラム・コードを含む１つまたは複数のメモリと；
前記１つまたは複数のメモリと前記送受信機とに組み合わされた１つまたは複数のデータ・プロセッサであって、前記プログラム・コードが実行されると、以下の動作：
前記複数のアンテナそれぞれに対応する重みを決定すること、ただし、各重みは、前記データ信号のうちの対応するものを、前記アンテナのうちの対応するものを使用して送信する前に変更するのに適している、前記決定すること；および
前記送受信機に、前記重みのうちの少なくとも１つに対応する情報を送信させること、ただし、前記情報は少なくとも、前記少なくとも１つの重みの決定を可能にする、前記送信させること
を実行するよう構成されている、前記１つまたは複数のデータ・プロセッサと
を含む装置。
【請求項１２】
前記送信は、高速共有制御チャネルを使用して前記情報を送信することをさらに含む、請求項11に記載の装置。
【請求項１３】
前記装置は、対応する重みを前記データ信号のうちの対応するものに乗じて複数の変更されたデータ信号を形成するよう構成された、複数の乗算器をさらに含み；
前記動作は、前記変更されたデータ信号を、前記複数のアンテナを使用して前記送受信機により送信させることをさらに含む、
請求項11に記載の装置。
【請求項１４】
前記データ信号はそれぞれ、前記乗算器のそれぞれへ経路指定される単一のデータ信号に対応する、請求項13に記載の装置。
【請求項１５】
前記データ信号は、前記乗算器のそれぞれへ経路指定される少なくとも２つの異なるデータ信号に対応する、請求項13に記載の装置。
【請求項１６】
前記送信は、前記変更されたデータ信号を、高速ダウンリンク共有チャネルを使用して送信することをさらに含む、請求項11に記載の装置。
【請求項１７】
前記送信された情報を使用すると、少なくとも、前記少なくとも１つの重み以外に追加の重みの決定が可能である、請求項11に記載の装置。
【請求項１８】
前記情報は第１情報であり、前記送受信機は受信機により計算された第２情報を受信し、前記第２情報は前記複数のアンテナそれぞれに使用される重みに対応し、前記重みの決定は、前記受信機により計算された前記第２情報を使用して、前記複数のアンテナそれぞれに対応する前記重みを決定することをさらに含む、請求項11に記載の装置。
【請求項１９】
動作を実行させるべく、少なくとも１つのデータ・プロセッサにより実行可能な機械可読命令のプログラムを有形に具現化する信号担持媒体であって、前記動作は、
データ信号の送信に使用される複数のアンテナそれぞれに対応する重みを決定すること、ただし、各重みは、前記データ信号のうちの対応するものを、前記アンテナのうちの対応するものを使用して送信する前に変更するのに適している、前記決定することと；
前記重みのうちの少なくとも１つに対応する情報を送信させること、ただし、前記情報は少なくとも、前記少なくとも１つの重みの決定を可能にする、前記送信させることと
を含む、信号担持媒体。
【請求項２０】
複数の重みのうちの少なくとも１つに対応する情報を受信すること、ただし、前記複数の重みは第１データ信号の送信に使用される複数の第１アンテナに対応し、各重みは、前記第１データ信号のうちの対応するものを、前記第１アンテナのうちの対応するものを使用して送信する前に変更するために使用されたものである、前記受信することと；
前記受信された情報を使用し、前記複数の第１アンテナに対応する前記複数の重みを決定することと；
少なくとも１つの出力信号を生成するべく、複数の第２アンテナを使用して受信された第２データ信号を、前記複数の重みを少なくとも使用して復号することと
を含む方法。
【請求項２１】
前記復号は、前記複数の重みを少なくとも使用してチャネル推定を実行することをさらに含む、請求項20に記載の方法。
【請求項２２】
前記チャネル推定を使用して、前記複数の第１アンテナそれぞれについて第２重みを計算することをさらに含む、請求項21に記載の方法。
【請求項２３】
前記計算された第２重みに対応する第２情報を、高速個別物理制御チャネル上で送信することをさらに含む、請求項23に記載の方法。
【請求項２４】
前記受信は、高速共有制御チャネル上で前記情報を受信することをさらに含む、請求項20に記載の方法。
【請求項２５】
高速ダウンリンク共有チャネルを使用して前記第２データ信号を受信することをさらに含む、請求項20に記載の方法。
【請求項２６】
前記復号は、単一の出力信号を生成するべく、前記複数の第２アンテナを使用して受信された前記第２データ信号を復号することをさらに含み、前記第１データ信号はそれぞれ、単一の入力信号を使用して決定されたものであり、前記単一の出力信号は、前記単一の入力信号の復号済みバージョンを含む、請求項20に記載の方法。
【請求項２７】
前記復号は、複数の出力信号を生成するべく、前記複数の第２アンテナを使用して受信された前記第２データ信号を復号することをさらに含み、前記第１データ信号は、複数の入力信号を使用して決定されたものであり、前記複数の出力信号は、前記複数の入力信号の復号済みバージョンを含む、請求項20に記載の方法。
【請求項２８】
第１データ信号の受信に使用される複数の第１アンテナに組み合わされるように構成された送受信機であって、前記送受信機は、複数の重みのうちの少なくとも１つに対応する情報を受信するよう構成されており、前記複数の重みは第２データ信号の送信に使用される複数の第２アンテナに対応し、各重みは、前記第２データ信号のうちの対応するものを、前記第２アンテナのうちの対応するものを使用して送信する前に変更するために使用されたものである、前記送受信機と；
プログラム・コードを含む１つまたは複数のメモリと；
前記１つまたは複数のメモリと前記送受信機とに組み合わされた１つまたは複数のデータ・プロセッサであって、前記プログラム・コードが実行されると、以下の動作：
前記受信された情報を使用して、前記複数の第２アンテナに対応する前記複数の重みを決定すること；および
少なくとも１つの出力信号を生成するべく、前記複数の重みを少なくとも使用して前記第１データ信号を復号すること
を実行するよう構成されている、前記１つまたは複数のデータ・プロセッサと
を含む装置。
【請求項２９】
前記復号する動作は、前記複数の重みを少なくとも使用してチャネル推定を実行する動作をさらに含む、請求項28に記載の装置。
【請求項３０】
前記動作は、前記チャネル推定を使用して、前記複数の第２アンテナそれぞれについて第２重みを計算することをさらに含む、請求項29に記載の装置。
【請求項３１】
前記計算された第２重みに対応する第２情報を、前記送受信機を使用して高速個別物理制御チャネル上で送信させる動作をさらに含む、請求項30に記載の装置。
【請求項３２】
前記計算された第２重みに対応する前記第２情報を送信させる前記動作は、前記計算された第２重みに対応する前記第２情報を、ある期間中に送信が許可されている情報量に基づき送信させることをさらに含む、請求項31に記載の装置。
【請求項３３】
前記送受信機は、高速共有制御チャネル上で前記情報を受信するようさらに構成されている、請求項20に記載の装置。
【請求項３４】
前記送受信機は、高速ダウンリンク共有チャネルを使用して前記第１データ信号を受信するようさらに構成されている、請求項20に記載の装置。
【請求項３５】
前記復号する動作は、単一の出力信号を生成するべく、前記複数の第１アンテナを使用して受信された前記第２データ信号を復号する動作をさらに含み、前記第２データ信号はそれぞれ、単一の入力信号を使用して決定されたものであり、前記単一の出力信号は、前記単一の入力信号の復号済みバージョンを含む、請求項20に記載の装置。
【請求項３６】
前記復号する動作は、複数の出力信号を生成するべく、前記複数の第１アンテナを使用して受信された前記第２データ信号を復号する動作をさらに含み、前記第２データ信号は、複数の入力信号を使用して決定されたものであり、前記複数の出力信号は、前記複数の入力信号の復号済みバージョンを含む、請求項20に記載の装置。
【請求項３７】
動作を実行させるべく、少なくとも１つのデータ・プロセッサにより実行可能な機械可読命令のプログラムを有形に具現化する信号担持媒体であって、前記動作は、
複数の重みのうちの少なくとも１つに対応する情報を受信させること、ただし、前記複数の重みは第１データ信号の送信に使用される複数の第１アンテナに対応し、各重みは、前記第１データ信号のうちの対応するものを、前記第１アンテナのうちの対応するものを使用して送信する前に変更するために使用されたものである、前記受信させることと；
前記受信された情報を使用し、前記複数の第１アンテナに対応する前記複数の重みを決定することと；
少なくとも１つの出力信号を生成するべく、複数の第２アンテナを使用して受信された第２データ信号を、前記複数の重みを少なくとも使用して復号することと
を含む、信号担持媒体。
【発明の詳細な説明】
【技術分野】
【０００１】
本発明の例は、全般的にデジタル・セルラ通信のシステム、方法、端末およびコンピュータ・プログラムに関し、特にユーザ装置と基地局との間でアンテナ関連のフィードバック情報を提供する技術に関する。
【背景】
【０００２】
次の略語は以下のように定義され、これらの少なくとも一部は下記の説明に出てくる。
3GPP   第三世代パートナーシップ・プロジェクト（Third Generation Partnership Project）
BS     基地局（Base Station）
BTS    基地送受信局（Base Transceiver Station）
CLM    閉ループ送信ダイバーシティ・モード（Closed loop transmit diversity mode）
CSI    チャネル状態情報（Channel state information：EUTRANにおけるCQIの等価物）
CQI    チャネル品質情報（Channel quality information）
DL     ダウンリンク（Downlink）
DPCH   個別物理チャネル（Dedicated Physical Channel）
EUTRAN 進化型UTRAN（Evolved UTRAN）
FBI    フィードバック情報（Feedback Information）
F-DPCH フラクショナル個別物理チャネル（Fractional Dedicated Physical Channel）
HSDPA  高速ダウンリンク・パケット・アクセス（High Speed Downlink Packet Access）
HS DPCCH  高速個別物理制御チャネル（High Speed Dedicated Physical Control Channel）
HS DSCH   高速ダウンリンク共有チャネル（High Speed Downlink Shared Channel）
HS SCCH   高速共有制御チャネル（High Speed Shared Control Channel）
MIMO   多入力多出力（Multiple Input，Multiple Output）
Node B  基地局
OFDM   直交周波数分割多重方式（Orthogonal Frequency Division Multiplex）
SRB    シグナリング無線ベアラ（Signaling Radio Bearer）
UE     ユーザ装置（User Equipment）
UL     アップリンク（Uplink）
UMTS   ユニバーサル・モバイル・テレコミュニケーション・システムC304（Universal Mobile Telecommunications System C304）
UTRA FDD  UMTS地上無線アクセス周波数分割複信（UMTS Terrestrial Radio Access-Frequency Division Duplex）
UTRAN  UMTS地上無線アクセス・ネットワーク（UMTS Terrestrial Radio Access Network）
WCDMA  広帯域符号分割多元接続（Wideband Code Division Multiple Access）
【０００３】
UTRA FDD（WCDMA）におけるDLパケット・データ送信は、リリース5規格（HSDPA）に含まれる機能であり、リリース6では、フラクショナルDPCH（F-DPCH）のサポート、およびHS DSCH上のSRBのマッピングのサポートにより、さらに拡張されている。
【０００４】
現在、リリース7へ向けた開発作業が進められている。本発明にとって最も関連深いHSDPAの一機能は、Node BおよびUEの送信サブシステムならびに受信サブシステムに関する。
【概要】
【０００５】
例示的な実施形態において、データ信号の送信に使用される複数のアンテナそれぞれに対応する重みを決定する方法が開示される。各重みは、データ信号のうちの対応するものを、アンテナのうちの対応するものを使用して送信する前に変更するのに適している。さらに、この方法には、重みのうちの少なくとも１つに対応する情報を送信することが含まれ、この情報は、少なくとも１つの重みの決定を少なくとも可能にする。
【０００６】
別の例示的な実施形態において、装置は、データ信号の送信に使用される複数のアンテナに組み合わされるように構成された送受信機を含む。この装置はさらに、プログラム・コードを含む１つまたは複数のメモリ、および該１つまたは複数のメモリと送受信機とに組み合わされた１つまたは複数のデータ・プロセッサを含む。１つまたは複数のデータ・プロセッサは、プログラム・コードが実行されると次の動作、すなわち、複数のアンテナそれぞれに対応する重みであって、データ信号のうちの対応するものを、アンテナのうちの対応するものを使用して送信する前に変更するのに各重みが適している、重みを決定すること；および送受信機に、重みのうちの少なくとも１つに対応する情報であって、少なくとも１つの重みの決定を少なくとも可能にする、情報を送信させることを実行するよう構成されている。
【０００７】
さらなる例示的な実施形態において、動作を実行するために少なくとも１つのデータ・プロセッサにより実行可能な機械可読命令のプログラムを有形に具現化する信号担持媒体が開示される。この動作には、データ信号の送信に使用される複数のアンテナそれぞれに対応する重みであって、データ信号の対応するものを、アンテナの対応するものを使用して送信する前に変更するのに各重みが適している、重みを決定することが含まれる。この動作にはさらに、重みのうちの少なくとも１つに対応する情報であって、少なくとも１つの重みの決定を少なくとも可能にする、情報を送信させることが含まれる。
【０００８】
さらに別の例示的な実施形態において、第１データ信号の送信に使用される複数の第１アンテナに対応する複数の重みのうち、少なくとも１つに対応する情報を受信することを含む方法が開示される。各重みは、第１データ信号の対応するものを、第１アンテナの対応するものを使用して送信する前に変更するために使用されたものである。さらにこの方法には、受信された情報を使用して、複数の第１アンテナに対応する複数の重みを決定すること；および複数の第２アンテナを使用して受信された第２データ信号を、複数の重みを少なくとも使用して復号し、少なくとも１つの出力信号を生成すること、が含まれる。
【０００９】
さらなる例示的な実施形態において、第１データ信号の受信に使用される複数の第１アンテナに組み合わされるように構成された送受信機を含む装置が開示される。送受信機は、第２データ信号の送信に使用される複数の第２アンテナに対応する複数の重みのうち、少なくとも１つに対応する情報を受信するよう構成されている。各重みは、第２データ信号の対応するものを、第２アンテナの対応するものを使用して送信する前に変更するために使用されたものである。さらに装置は、プログラム・コードを含む１つまたは複数のメモリ、および、該１つまたは複数のメモリと送受信機とに組み合わされた１つまたは複数のデータ・プロセッサを含む。１つまたは複数のデータ・プロセッサは、プログラム・コードが実行されると、受信された情報を使用して、複数の第２アンテナに対応する複数の重みを決定する動作を実行するよう構成されている。さらにこの動作には、複数の重みを少なくとも使用して第１データ信号を復号し、少なくとも１つの出力信号を生成することが含まれる。
【００１０】
さらなる例示的な実施形態において、情報を受信させることを含む動作を実行するために、少なくとも１つのデータ・プロセッサにより実行可能な機械可読命令のプログラムが、信号担持媒体により有形に具現化される。この情報は複数の重みのうちの少なくとも１つに対応し、複数の重みは第１信号の送信に使用される複数の第１アンテナに対応し、各重みは、第１データ信号の対応するものを、第１アンテナの対応するものを使用して送信する前に変更するために使用されたものである。加えて、この動作には、受信された情報を使用して複数の第１アンテナに対応する複数の重みを決定することが含まれ、さらに、複数の第２アンテナを使用して受信された第２データ信号を、複数の重みを少なくとも使用して復号し、少なくとも１つの出力信号を生成することが含まれる。
【００１１】
本発明の実施形態の前述の態様およびその他の態様は、添付の図面と併せて以下の例示的実施形態の詳細な説明を読むことで、さらに明らかとなる。
【例示的実施形態の詳細な説明】
【００１２】
前置きとして、望ましいHSDPA送信方式は、2本の送信（Tx）アンテナおよび2本の受信（Rx）アンテナを用いた閉ループ・アンテナ送信技術に基づくと思われる（例えば、高速パケット・スケジューリングと組み合わせて現実的な動作条件下でHSDPAに使用される場合）ということを提示できる。しかし、現在3GPPリリース5においてHSDPAに関し定義されている閉ループ・モード1および2方式には、問題が付随する。この関連で特に重要な3GPP規格は、3GPP TS25.214、「物理層手順（FDD）（Physical layer procedures (FDD)）」（リリース5）である。問題は、UEからのフィードバックの変換および更新速度、ならびにアンテナ・ベリフィケーション（antenna verification）に関係する。アンテナ・ベリフィケーションの問題は、Node Bが送信に使用しているアンテナ重みをUEが認識していないことが原因で発生する。アンテナ・ベリフィケーションの問題は、HSDPAへF-DPCHが導入され、F-DPCHの場合、UEはCLM1またはCLM2いずれのサポートも強制されないことが決定されたことにより悪化した。したがって、一般的に、閉ループ送信ダイバーシティは3GPPリリース6のHSDPAには使用できない。
【００１３】
このように、HSDPA進化版に対応した2Tx閉ループ・アンテナ方式の、堅牢かつ魅力的な使用法を実現するために、新たな手段が必要とされていることが分かる。
【００１４】
本発明の例示的な実施形態により、3GPPリリース5および6においてHSDPA向けに現在指定されている閉ループ送信ダイバーシティ方式の拡張が実現される。なお、本発明の例示的な実施形態はHSDPAとの関連で説明されているが、これらの教示は、EUTRANを含むがこれに限定はされない他の種類の無線通信システムに適用可能であることに留意が必要である。
【００１５】
図1は、本発明の実装に使用される主要な構成要素、具体的には、ユーザ装置（UE）10とも呼ばれるHSDPA端末10、およびNode B 20とも呼ばれるBSを示す、簡略化されたブロック図である。本願明細書で使用されるNode Bは、本発明の実践を限定するものではないが、3GPP25シリーズ規格の用語であるNode Bの同義語として機能すると見なされればよい。
【００１６】
図1では、HSDPA端末10が、第１および第２の受信アンテナ13A、13Bを有する適切な無線送受信機12を含むことが示されている。送受信機12は少なくとも１つのデータ・プロセッサ（DP：data processor）14につながれており、DP 14は揮発性および／または非揮発性のメモリ16を含むか、またはこれにつながれている。メモリ16は、本発明のUE 10に関する態様を実装するために提供されるプログラム・コードなど、Node B 20と共に動作するべくDP 14により実行可能なプログラム・コード18を格納している。Node B 20は、第１および第２の送信アンテナ23A、23Bを有する送受信機22を含むよう構成されている。アンテナ23A、23Bには、対応するアンテナ重み（W1、W2）が関連付けられていると想定される。さらに、Node B 20は少なくとも１つのDP 24を含み、DP 24は揮発性および／または非揮発性メモリ26を含むか、またはこれにつながれていると想定される。メモリ26は、本発明のNode B 20に関する態様を実装するために提供されるプログラム・コードなど、UE 10と共に動作するべくDP 24により実行可能なプログラム・コード28を格納している。
【００１７】
なお、図1では、UE 10およびNode B 20において、別々の送信アンテナおよび受信アンテナが使用されていることが示されているが、実際には、送受信両方に同じアンテナ（単数または複数）が使用されてもよい。
【００１８】
メモリ16および26は、ローカル技術環境に適した任意の種類でよく、半導体ベースのメモリ・デバイス、磁気メモリ・デバイスおよび磁気メモリ・システム、光学メモリ・デバイスおよび光学メモリ・システム、固定メモリおよび取り外し可能なメモリなど、任意の適切なデータ格納技術を使用して実装されるとよい。データ・プロセッサ14および24は、ローカル技術環境に適した任意の種類でよく、非限定的な例として、汎用コンピュータ、専用コンピュータ、マイクロプロセッサ、デジタル信号プロセッサ（DSP：digital signal processor）およびマルチコア・プロセッサ構造に基づくプロセッサのうち、１つまたは複数を含むとよい。
【００１９】
一般的に、UE 10の種々の実施形態は、セルラ電話、無線通信機能を有する携帯情報端末（PDA：personal digital assistant）、無線通信機能を有する携帯用コンピュータ、無線通信機能を有するデジタル・カメラなどの画像キャプチャ・デバイス、無線通信機能を有するゲーム・デバイス、無線通信機能を有する音楽記憶再生機器、無線でのインターネット・アクセスおよびブラウジングが可能なインターネット機器、ならびにそのような機能の組み合わせが組み込まれた携帯用ユニットまたは携帯端末を含み得るが、これらに限定はされない。
【００２０】
本発明の教示に従い、HSDPAが拡張され、UE 10が閉ループ・アンテナ送信フィードバック情報をNode B 20へ送信できるようになり、UE 10は、DPCCH上でFBI情報を送信せずにUL HS DPCCH上で閉ループ・アンテナ送信フィードバック情報を送信する。この手段は、Node B 20へフィードバック情報を送信するためにより多くのビットを使用できるようにし、有益である。さらに、フィードバック・レートは動的にしてもよい（例えば、CQIフィードバック・レートに対応して）。
【００２１】
フィードバック情報は、Node B 20（例えばBSまたはBTS）により使用される、UE推奨アンテナ重みを指定する情報を含み、このアンテナ重みは振幅および位相に関して明示されるとよい。例えば、アンテナ重みは通常W1＝ai＋jbiという種類の複素数であり、振幅および位相は重みを使用して決定できる。
【００２２】
さらに本発明の例示的な実施形態に従って、HS SCCHが、アンテナ重み（W1、W2）情報など、Node B 20で使用された適用済みの送信アンテナ方式に関する情報も含むように、DL HS SCCHの送信形式が変更される。この情報をHS SCCH上でUE 10へ送信することで、アンテナ・ベリフィケーション（例えば3GPPリリース5）に関する上記の問題が緩和または解消される。
【００２３】
本発明の例示的な実施形態に従った閉ループ送信アンテナ・フィードバック方式は、アンテナ送信ダイバーシティ重みに加え、MIMOマルチストリーム閉ループ・フィードバック情報もサポートする。これは、図2および3を参照してさらに詳しく説明される。
【００２４】
図2を見ると、ダイバーシティ送受信を使用した本発明の例示的な実施形態の実装に使用される、説明のための具体例としての構成要素を示す、簡略化されたブロック図が示されている。無線通信システム200は、通信チャネルHS DSCH 240、HS SCCH 245およびHS DPCCH 250を使用して通信しているNode B 220およびUE 210を含む。Node B 220は、DP 224、メモリ226、乗算器296-1および296-2、ならびに送受信機222を含む。メモリ226は、プログラム・コード228、受信した重み235、入力データ260、パイロット・シンボル265を含む。Node B 220は、アンテナ230-1、230-2および230-3につながれているか、またはこれらを含む。UE 210は、DP 234、メモリ236および送受信機232を含む。UE 210は、アンテナ290-1、290-2および290-3につながれているか、またはこれらを含む。メモリ236は、プログラム・コード238、受信した重み情報280、決定した重み情報282、フィードバック重み情報284、およびデータ信号DS1 225内のデータに対応する出力データDS1'286を含む。
【００２５】
Node B 220は、変調、拡散、スクランブリング（例えば暗号化）などの関数を実行し、周波数偏移（例えば、ベースバンドから伝送帯）を実行してデータ信号DS1 225を生成することによって入力データ260を伝達する。この例では、データ信号DS1 225は、乗算器296-1および296-2の両方につながれ、それぞれ対応するアンテナ重みW1、W2により変更（例えば乗算）され、変更済みデータ信号297-1、297-2が生成されてそれぞれアンテナ230-1、230-2を使用して伝達される。さらにDP 224は、定期的にパイロット・シンボル265をデータ信号DS1 225として送信させるが、アンテナ230-1および230-2の一方または両方が、パイロット・シンボル265を有するデータ信号DS1 225を送信するのに使用されるとよい。
【００２６】
データ信号DS1 225は、HS DSCH 240を使用してUE 210へ送信される。さらにNode B 220は、重み情報270をHS SCCH 245上でUE 210へ送信する（例えば、プログラム・コード228およびDP 224の制御のもとで）。重み情報270は、重みW1、W2の「フィードフォワード」指示であり、重み情報270は、両アンテナ重み（すなわちW1、W2）に対応する情報271、または重みのうちの一方に対応する情報272（例えばW1またはW2）を含むことが出来る。なお、重み情報270は、例えばアンテナ重みW1とW2との間の位相差、W1、W2の値、またはW1および／もしくはW2を与えるようマップされた情報を含むことも考えられる。情報272（例えば、アンテナ重みW2に対応する）が送信されると、UEは送信された情報272を使用してもう１つのアンテナ重み（例えば、W1）に対応する情報を決定できる。UE 210（例えば、プログラム・コード238およびDP 234の制御下にある）は、重み情報270を受信した重み情報280に置き換え、必要であれば、受信した重み情報280から、決定した重み情報282を決定する。一実施形態において、受信した重み情報280はW1およびW2の両方に対応し、決定した重み情報282はW1およびW2の両方に対応する。別の一実施形態において、受信した重み情報280はW2（またはW1など）に対応し、UE 210は、受信した重み情報280のW2（またはW1など）を使用して、決定した重み情報282（例えば、W1およびW2の両方に対応）を決定する。
【００２７】
UE 210は、決定した重み情報282を、受信されたデータ信号291-1および291-2の復号中に使用し、データ信号DS1 225に対応する出力データ（DS1'）286を決定する。さらにUE 210は、この決定した重み情報282を、後でNode Bへ信号で返される新たなアンテナ重み（すなわち、フィードバック重み情報284）の推定などのチャネル推定に使用する。その結果、UE 210（例えば、この場合もプログラム・コード238およびDP 234の制御下にある）は、例えばHS DSCH 240上で送信されるパイロット・シンボル265および決定した重み情報282を使用して決定された対応するチャネル推定を使用して、フィードバック重み情報284を決定する。UE 210は、フィードバック重み情報276（フィードバック重み情報284に対応）を、閉ループ送信フィードバック情報275の一部としてHS DPCCH 250上でNode Bへ伝達する。フィードバック重み情報276は、計算されたW1に対応するフィードバック重み情報W1'241および計算されたW2に対応するフィードバック重み情報W2'242のうちの１つまたは複数を含む。なお、フィードバック重み情報276が、アンテナ重みW1とW2との間の位相差などの差を含むことも考えられる。加えて、閉ループ送信フィードバック情報275はCQI/CSI 278を含んでもよく、さらに、現在の送信または以前の送信からの肯定応答（Ack：Acknowledge）／否定応答（Nack：No Acknowledge）を含んでもよい。
【００２８】
Node B 220は、フィードバック重み情報276に対応する受信した重み情報235を使用して、アンテナ重みW1、W2を修正する。UE 210によるアンテナ重みの決定およびNode B 220によるアンテナ重みの修正についての例示的な技術は、例えば3GPP TS25.214、V5.0.0（2002-03）およびその後の文書で説明されている。なお、異なるアンテナ230-1、230-2を使用して同じ信号（データ信号DS1 225）が送信されるため、図2のシステム200はダイバーシティ送信を使用する。
【００２９】
一方、図3は、多入力多出力（MIMO）送受信の実装に使用される例示的な構成要素を示す、別の簡略化されたブロック図を示す。図3のシステム300は図2と同じ構成要素を多数含むため、ここでは相違点のみが説明される。通信システム300はNode B 320を含み、Node B 320は、乗算器336-1から336-4、および送受信機322を通り、アンテナ330-1から330-4までにつながれた、DP 224を含む。DP 224は、入力データ260をデータ信号DS1 325-1からDS4 325-4に分割し、これらはそれぞれ、乗算器336を使用して対応する重みW1からW4により変更（例えば乗算）されて、変更済みデータ信号337-1から337-4が生成され、これらは続いて送受信機322およびアンテナ330を使用して送信される。さらに、Node B 320は、W1に対応する重み情報371、W2に対応する重み情報372、W3に対応する重み情報373、およびW4に対応する重み情報374のうちの１つまたは複数を含む重み情報370を、UE310へ伝達する。
【００３０】
UE310は、アンテナ390-1から390-4を使用してHS DSCH 240を受信し、送受信機332は、受信されたデータ信号391-1から391-4までを生成する。続いてDP 234は、データ信号DS1 325-1、DS2 325-2、DS3 325-3およびDS4 325-4にそれぞれ対応する出力データDS1'386-1、DS2'386-2、DS3'386-3およびDS4'386-4を生成する。MIMOでは、N本の受信アンテナ390がM本の送信アンテナ330から情報を受信し、min（M，N）の独立したサブチャネルがあると考えられる。例示的な実施形態では、MはNと等しくない。図3の例では、4つの独立したサブチャネルがあるが、この送信アンテナ330の量に対して、これよりも少ないサブチャネルを使用することも可能である。UE310は、計算されたW1に対応するフィードバック重み情報W1'341、計算されたW2に対応するフィードバック重み情報W2'342、計算されたW3に対応するフィードバック重み情報W3'343、計算されたW4に対応するフィードバック重み情報W4'344のうちの１つまたは複数を含むフィードバック重み情報376を、HS DPCCH 250を使用してNode B 320へ伝達する。フィードバック重み情報376（および「フィードフォワード」情報270、370も同じく）は、W1とW2との間の位相差345（φ1，2）、W3とW4との間の位相差346（φ3，4）、W1とW2との間の振幅差347（A1，2）およびW3とW4との間の振幅差348（A3，4）を含むこともできる。さらに、各フィードバック重み情報341、342、343、344は、この例ではW1に対応する振幅および位相を有する重み情報349（A1，φ1）を含むことも可能である。さらに、通常、このようなフィードバック重み情報376は、図6を参照して以下で説明されるように、一連のビットから適切な振幅および／または位相へマップされていることにも留意されたい。
【００３１】
前述の追加情報を伝えるHS SCCHおよびHS DPCCHメッセージングのスロット・フォーマットは、任意の適切な方法で取り決められるとよい。
【００３２】
先行する図を適宜参照しながら図4を参照すると、閉ループ送信アンテナの動作を実現するNode B 20、220、320などのネットワーク・ノード（その他のネットワーク・ノードも可能であるが）により実行される例示的な方法400の流れ図が示されている。Node B 20、220、320は、方法400を実行するために、プログラム・コード28、228の制御下で動作することになる。方法400は、UL HS DPCCH 250上のデータから閉ループ送信フィードバック情報275、375が決定される、ブロック405で開始する。ブロック410で、閉ループ送信フィードバック情報275、375（例えばフィードバック・アンテナ重み情報276、376）を使用してアンテナ重みが決定される。例えば、W1は（1／√2）に固定され、振幅の大きさW2は固定されているが、位相は範囲｛0，-π／2，π／2，π｝で変化が許容されているという状況が考えられる。その結果、フィードバック・アンテナ重み情報276は、W2に対応する情報242のみを含むことになり、この情報242は、例えば00（位相ゼロに対応）、01（位相π／2に対応）、10（位相πに対応）、または11（位相-π／2に対応）などの2ビットを含む。これは図6に示されており、重み情報610-1から610-4は、アンテナ重み情報242に対応している。各重み情報610-1から610-4は、対応する位相620-1から620-4に、表600を使用してマップされている。続いてネットワーク・ノード、例えばNode B 220は、振幅はすでに知られているため、情報242により示された位相に等しいアンテナ重みW2を設定することができる。
【００３３】
ブロック415において、DL HS SCCH 245上でアンテナ重みがUE 210、310へ伝達される。この例では、ネットワーク・ノードは重み情報270（W2に対応する重み情報272のみを含む）において2ビットを使用し、W2の位相を示す。図6の例では、重み情報610-1から610-4中の2ビット・シーケンスの１つがネットワーク・ノードによってUEへ送信される。なお、表600は必要に応じて、振幅または振幅および位相にビットをマップすることもできる。ブロック420で、送信されるデータ信号225、325にアンテナ重みが適用される。
【００３４】
他の図を適宜参照しながら図5を見ると、閉ループ送信アンテナの動作を実現するユーザ装置（UE 10、210、310）により実行される例示的な方法500の流れ図が示されている。方法500は、例えばプログラム・コード18、238などの命令のもとでUEにより実行される。方法500は、UEが、アンテナ重み（例えば重み情報270、370）に対応する情報を、DL HS SCCH 245からのデータ内で受信する、ブロック505で始まる。ブロック510で、重み情報を使用してアンテナ重みが決定される。ブロック510はさらに、重み情報が全アンテナ重みよりも少ないアンテナ重みに対応するときにも実行される。例えば、アンテナ重みW2のみに対応する重み情報が受信されると、アンテナ重みW1（および場合によってはアンテナ重みW3、W4）を、受信されたアンテナ重みW2に対応する情報に基づき決定できる。前述の例では、アンテナ重みW1は固定されており、アンテナ重みW2に対応する情報270は、図6に重み情報610-1から610-4として示されているように2ビットを含む。重み情報610-1から610-4までの2ビットにより、重みW2に対する範囲｛0，-π／2，π／2，π｝の位相620-1から620-4が選択され、振幅の大きさW2は固定されている。ブロック510で、W2に対する位相が何であるべきかを決定するためにビットが使用される。Node B 220により使用されるアンテナ重み（例えば図2の重みW1、W2で、これについての情報は重み情報270を使用して送信される）は、UE 210がチャネル推定を実行するとき（下記のブロック515）にUE 210により使用され、このチャネル推定によってUE 210は、Node B 220へ信号で返される新たなアンテナ重み（例えば、フィードバック重み情報276に対応）を推定できる。2本のアンテナの場合、2本のアンテナに使用されるアンテナ重み間の関連位相および／または振幅の差のみについて推定が必要である。なお、この例では、ネットワーク・ノード（例えばNode B 220）およびUE（例えばUE 210）の両方が、同数のビットを使用してアンテナ重み情報を伝達するものと想定される。しかし、これは単なる例にすぎず、ネットワーク・ノードおよびUEはアンテナ重み情報に異なる数のビットを使用でき、送信されるアンテナ重み情報の量（例えば単位時間当たりのビット）は異なってもよい。
【００３５】
ブロック515では、決定したアンテナ重みが復号およびチャネル推定に使用される。ブロック520では、フィードバック・アンテナ重み（例えばフィードバック・アンテナ重み276、376）がチャネル推定に基づき計算される。フィードバック情報（例えば閉ループ・アンテナ送信フィードバック情報275、375）の量が、ブロック540で決定される。閉ループ・アンテナ送信フィードバック情報275、375の量は動的にされてもよく、例えばCQI／CSIフィードバック・レートなどに対応させることもできる。例えば3GPPリリース5ではCQI報告は定期的であり、報告は最大で2ミリ秒（MS：milliseconds）毎である。各CQIワードは5ビットである。これは、3GPP TS25.214および25.215で説明されている。したがって、閉ループ・アンテナ送信フィードバック情報275、375の量も、時間と共に変化させることが可能である。続いてブロック545で、ステップ520からの計算済みのアンテナ重みが符号化され（例えば、フィードバック重み情報276、376として）、UL HS DPCCH 250上でUEからネットワーク・ノードへ伝達される。
【００３６】
当然のことながら、本発明の例示的な実施形態は、OFDMがDLで使用されると思われるEUTRANコンセプトにも同様に拡大適用されてもよい。これは、Node B 20がいわゆるアロケーション・テーブルをUE 10へ送信するときに、どの送信ダイバーシティ重み（または閉ループMIMO方式）が使用されているかを（そのような送信ダイバーシティまたはMIMO方式で動作可能であるUE 10に対して）指定する情報も送信されるということを暗に示す。同じく、送信ダイバーシティまたは閉ループMIMOをサポートするUE 10は、UL Ack／NakcおよびCSI／CQIをNode B 20へ送信するのと同時に、送信アンテナ・フィードバック情報を送信できるようになる。
【００３７】
本発明の非限定的な実施形態の前述の説明に基づくと当然のことであるが、本発明の態様は、Node Bにより使用される送信アンテナ方式を記述した情報をDL HS SCCH上で送信するためにNode BをUEと共に動作させる装置、方法およびコンピュータ・プログラムに関し、この情報はNode B送信アンテナ重み情報を含む。
【００３８】
本発明の非限定的な実施形態の前述の説明に基づくと当然のことであるが、本発明のさらなる態様は、閉ループ・アンテナ送信フィードバック情報をUL HS DPCCH上で送信するためにUEをNode Bと共に動作させる装置、方法およびコンピュータ・プログラムに関する。
【００３９】
なお、ネットワーク・ノード（例えばNode B）およびUEにおける機能は、上で示したように、つまり、上述の機能を対応するDPに実行させるソフトウェア命令を通して、実行できる。このように、実施形態は、上述の機能を実行するために少なくとも１つのデータ・プロセッサにより実行可能な機械可読命令のプログラムを有形に具現化する、信号担持媒体を含んでもよい。さらに、一般的には、専用回路などのハードウェア、ソフトウェア、論理またはこれらの任意の組み合わせに、種々の実施形態が実装されてもよい。例えば、一部の態様がハードウェアに実装される一方で、他の態様は制御装置、デジタル信号プロセッサ、データ・プロセッサ、汎用マイクロプロセッサまたはその他のコンピュータ・デバイスにより実行され得るソフトウェア（ファームウェアなど）に実装されてもよいが、本発明はこれに限定はされない。本発明の種々の態様は、ブロック図、流れ図として、またはその他何らかの図的表現を使用して図示できるが、当然のことながら、本願明細書で説明されたブロック、流れ図またはその他図的表現は、非限定的な例として、ハードウェア、ソフトウェア、これらの何らかの組み合わせに実装されてもよい。
【００４０】
本発明の実施形態は、集積回路モジュールなどの種々の構成部品で実行され得る。全般的にみて、集積回路の設計は高度に自動化されたプロセスである。論理レベルの設計を、半導体基板上にすぐにエッチングおよび形成可能な半導体回路設計に変換するために利用できる、複雑かつ強力なソフトウェア・ツールが複数ある。
【００４１】
カリフォルニア州マウンテン・ビュー（Mountain View，California）のシノプシス社（Synopsys，Inc.）、およびカリフォルニア州サンノゼ（San Jose，California）のケイデンス・デザイン（Cadence Design）により提供されているようなプログラムは、確立された設計ルール、ならびに記憶済みの設計モジュールのライブラリを使用して、自動的に半導体チップ上に導体を経路付けし、構成部品を位置付ける。半導体回路の設計が完了すれば、結果として生じた設計が製造用に、半導体加工施設、つまり"fab（生産工場）"へ、標準化された電子形式（例えばOpus、GDSII、または同様のものなど）で伝送されればよい。
【００４２】
当業者であれば、前述の説明を添付の図面と共に読み考慮すると、種々の変更および適応がすぐに分かるであろう。いくつかの単なる例として、他の同様のメッセージもしくは等価なメッセージおよび／または信号伝達技術の使用が当業者により試行されてもよく、3本以上の送信および／または受信アンテナが採用されてもよい。なお、本発明の教示に対するこのような変更および同様の変更も、やはり本発明の範囲に入る。
【００４３】
さらに、本発明の例の一部の特徴を、他の特徴を併用せずに使用して役立ててもよい。このように、上記の説明は、本発明の原理、教示、例および実施形態を説明するに過ぎず、本発明を限定するものではないと見なされるべきである。
【図面の簡単な説明】
【００４４】
【図１】本発明の例示的な実施形態の実装に使用される、具体例としての主要な構成要素を示す、簡略化されたブロック図である。
【図２】ダイバーシティ送受信を使用した本発明の例示的な実施形態の実装に使用される、具体例としての構成要素を示す、簡略化された別のブロック図である。
【図３】多入力多出力（MIMO）送受信を使用した本発明の例示的な実施形態の実装に使用される、具体例としての構成要素を示す、簡略化された別のブロック図である。
【図４】閉ループ送信アンテナの動作を実現するために、ネットワーク・ノードにより実行される例示的な方法の流れ図である。
【図５】閉ループ送信アンテナの動作を実現するために、ユーザ装置により実行される例示的な方法の流れ図である。
【図６】与えられたアンテナ重みについて、アンテナ重み情報を位相にマップするために使用される表である。
【図１】
2009500890.tif 000003
【図２】
2009500890.tif 000004
【図３】
2009500890.tif 000005
【図４】
2009500890.tif 000006
【図５】
2009500890.tif 000007
【図６】
2009500890.tif 000008
【国際調査報告】
2009500890.tif 000009
2009500890.tif 000010
2009500890.tif 000011